(57)【要約】【課題】カウンターの天板とボウルの表面など、平坦状の面と凹陥面との境界部を見分けやすくし、病院や高齢者施設などに設置しても使用しやすい洗面台用カウンターなどの内装材を提供する。【解決手段】カウンター１の天面２と凹陥したボウル部３面を連続表面とし、両面の境界部に略々沿って断続的或いは連続状に溝条乃至凹部を削成し、ここに表面部と同素材又は異素材で異色の主材からなる埋め込み材を埋め込み一体化して視覚認識可能な目印５を形成した。【選択図】図１
2008093336.tif 000002
【特許請求の範囲】
【請求項１】
平坦状の面と凹陥面とを連続表面としてなる構成であって、平坦状の面から凹陥面に変わる境界部に略々沿って視覚認識可能な目印を形成した構成を有する内装材。
【請求項２】
カウンターの天面と凹陥したボウル部面を連続表面としてなる構成であって、該天面と凹陥面との境界部に略々沿って視覚認識可能な目印を形成した構成を有する洗面台用カウンターとしての請求項１に記載の内装材。
【請求項３】
目印を境界部に沿って断続的に形成してなる請求項１又は２に記載の内装材。
【請求項４】
目印を境界部に沿って連続状に形成してなる請求項１又は２に記載の内装材。
【請求項５】
目印を境界部に沿った平坦状の面側乃至天面側に形成してなる請求項１〜４のいずれかに記載の内装材。
【請求項６】
目印を境界部に沿って形成するとともに、少なくとも該目印に囲われた凹陥面内に絵柄を表わし、全体として統一感のある絵柄を兼ねた目印として構成してなる請求項１〜５のいずれかに記載の内装材。
【請求項７】
目印は、内装材の表面部に溝条乃至凹部を削成し、ここに表面部と同素材を主材としてなる接着材を埋め込んで形成してなる請求項１〜６のいずれかに記載の内装材。
【発明の詳細な説明】
【技術分野】
【０００１】
本発明は、建築内装物としての内装材、特に洗面台用カウンターとして好適な内装材に関する。
【背景技術】
【０００２】
洗面台用カウンターは、パネルを加熱プレスしてカウンター天板と洗面ボウルとを凹凸加工することにより一体成型したもの、天板の開口部に別部材ボウルを組み付けて接着剤その他の接合手段により結合一体化したもの、同様に別部材を結合した状態において全体表面側に連続一体の表面層を重層形成したものなどが知られている。
【発明の開示】
【発明が解決しようとする課題】
【０００３】
従来の洗面台用カウンターの内、天板とボウルの表面が同一素材によって一体成型されているものは、照明その他の採光具合などによっては天板の平坦面とボウルの凹陥面とが見分けにくく感じることがある。特に、病院や高齢者施設など、視力弱者の利用が多い環境下に設置された場合には、清潔感、衛生面、清掃の簡便さなど種々な利便性がある一方で、一体成型で同色表面が連続しているため、視力弱者が利用した際、平坦面と凹陥面の境界が見分けにくく、ボウル内と間違えて平坦面部分に水を流してしまったり、遠近を錯覚してコップや手などをぶつけてしまうなどの問題が生じやすかった。
【０００４】
本発明は、このような問題点に着眼してなしたものであり、カウンターの天板とボウルの表面など、平坦状の面と凹陥面との境界部を見分けやすく形成した洗面台用カウンターなどの内装材を提供するものである。
【課題を解決するための手段】
【０００５】
上記課題を解決すべく、本発明は、平坦状の面と凹陥面を連続表面としてなる構成であって、平坦状の面から凹陥面に変わる境界部に略々沿って視覚認識可能な目印を形成して内装材を構成したこと、また、カウンター天面と凹陥したボウル部面を連続表面としてなる構成であって、該天面と凹陥面との境界部に略々沿って視覚認識可能な目印を形成して洗面台用カウンターとしての内装材を構成したことを特徴とするものである。
上記目印は境界部に沿って断続的或いは連続状に形成することができる。また、目印を境界部に形成し、或いは、境界部の内側沿い、又は外側沿い、又は内外両沿いに形成することができるが、最も見やすいように境界部上に、或いは境界部に沿った平坦状の面側乃至天面側に境界部を囲うように目印の構成要素を形成するのがより好ましい。
【０００６】
さらに、目印を境界部に沿って形成するとともに、少なくとも該目印に囲われた凹陥面内に絵柄を表わし、これらを合わせて全体として統一感のある絵柄を兼ねた目印として構成することができる。
上記目印乃至絵柄は、内装材の表面部に溝条乃至凹部を削成し、ここに表面部と同素材を主材としてなる接着材を埋め込んで形成するのが好ましい。
なお、目印を境界部に沿って形成するとともに、平坦状の面乃至天面側が近く、凹陥側が遠くに見えるような遠近感を表わした視覚認識可能な目印を形成することも可能である。
【発明の効果】
【０００７】
本発明によれば、平坦状の面と凹陥面の表面、洗面台用カウンターの天面と凹陥したボウル部の表面を、連続表面として化粧性の高い内装面に維持しつつ、少なくとも平坦状の面から凹陥面に変わる境界部に略々沿って視覚認識可能な目印を形成したので、面の変化を識別しやすく、特に視力弱者にとって利用しやすい内装材、例えば洗面台となる。
目印は、種々にデザイン化することができ、利用者を楽しませると同時に、上記見分けやすさの効果を高める。
目印は絵柄を含めて、内装材の表面部に溝条乃至凹部を削成し、ここに表面部と同素材を主材としてなる接着材を埋め込んで形成することができるので、異色で識別しやすく形成することができ、経時劣化して消えてしまうこともなく、剥離し難く、内装材表面と同面に仕上げれば連続面としての滑らかさを損なうこともない。
【発明を実施するための最良の形態】
【０００８】
以下、本発明の好適な実施例を図面によって説明する。ただし、この説明によって本発明が限定されるものではない。
図１〜図４は洗面台用カウンターとしての本発明の一実施例を、図５はカウンターとしての別の一実施例を、図６以下はさらに別の実施例を示してある。
【０００９】
洗面台用カウンター１は、基本的には平坦状のカウンター天面２と凹陥したボウル部３を有している。ボウル部３の底部には排水口４が形成されている。カウンター素材は、ＭＭＡ樹脂系人工大理石（メタクリル樹脂強化無機材）、ＢＭＣ樹脂系人工大理石（ポリエステル樹脂強化無機材）、アクリル系樹脂、ステンレス、ガラス、木質材シート、合板など、曲げ加工好ましくは加熱曲げ加工が可能な公知の適宜素材又は新規な適宜素材が使用可能である。継ぎ合わせや溶接により接合可能なものも使用可能である。
なお、天板と凹陥したボウル部を一体成型するには、カウンター材を加熱して金型に合わせて曲げ加工を施せばよい。
【００１０】
カウンター天面２とボウル部３との境界部すなわち凹陥したボウル部の外周縁部に沿って目印５を形成してある。目印５は、図１では境界部（仮想線５ｃとして図示してある）に沿って、略々この仮想線上に一定間隔を置いて丸模様５ａを表わし、丸模様５ａの内側には凹陥面に入り込むようにして、小丸模様５ｂを組み合わせ模様として表わし、全体としてボウル部の輪郭を見分けやすく、かつ装飾化してある。これらの模様は同色で形成してもよく、異色の組み合わせとしてもよい。境界部に周設された模様同士の同色し或いは異色とすることができる。
ここにおいて、図示のようにボウル部３の前縁部がカウンター天面２の前縁部と合致するように形成してある場合には、この前縁部側には目印５を形成しなくてよい。
なお、仮想線５ｃを線条乃至帯条の目印として形成し、目印５の構成要素とすることも可能である。
【００１１】
上記目印５は、カウンター表面にＮＣその他の適宜切削工具で適宜巾、適宜深さに溝条或いは凹部を削成し、この溝条乃至凹部に接着剤を塗布した上で、埋め込み材（チップ）を埋め込んで、接着一体化するのが好ましい。埋め込み材はカウンター材と同素材又は異素材であって異着色した主材からなり、該溝条乃至凹部と略々同形としたものを用いるのが好ましい。接着剤は、シリコーン系、エポキシ系、ウレタン系、ゴム系、その他上記素材に対して接着性能を発揮できるものであればよい。
上記削成した溝条乃至凹部には、接着性のある充填材を充填し、硬化させることなども可能である。該充填材はカウンター材と同素材又は異素材を主材とし、異着色した接着性のある適宜素材を用いることができる。
【００１２】
埋め込まれた目印の表面は研磨してカウンター面と同面とし平滑に仕上げるのが好ましい。こうして、目印が剥落することなく、退色、摩滅することなく形成されているようにするのがよい。
なお、上記目印をカウンター面より僅かに突出した面とし、或いは鉱物質粉末などを混入して摩擦係数の異なる面として形成することなども可能である。
上記において、カウンター天面の形状、ボウル部の形状、凹凸状態などは図示にとらわれず任意である。
【００１３】
図５は、目印５の別の一例を示してある。目印５はボウル部の境界部（仮想線５ｃ）に沿って音符入りの五線譜として表わしてある。この場合、五線譜は境界部を跨ぐように形成し或いは境界部の内側に形成することもできるが、境界部を囲うように外側に沿って形成する方が、目印の形成が容易であるとともに、ボウル部を判別しやすい。
【００１４】
図６、図７の（Ａ）〜（Ｐ）は、目印５のさらに別の一例を示したものである。（Ａ）は境界部沿いに太線ライン状の目印を表わした例であり、（Ｂ）は同様に目印を鎖線ライン状に表わした例である。（Ｃ）は境界部からボウル部内方に向かう筋模様を放射状に囲い形成して花火模様の如き目印として表わした例であり、各筋模様は同色でもよいが、異色の組み合わせとして形成することができる。なお、他の例も同色或いは異色の組み合わせとして形成できるものである。
【００１５】
（Ｄ）は小楕円模様を境界部に沿ってＣ同様に断続的に表わした例であり、（Ｅ）はＡの如く直線ではなく凹凸（連続折曲）線として目印を表わした例であり、（Ｆ）は境界部に沿ってアルファベット（ひらがな、漢字、その他の適宜文字・数字などでもよい)を並べて目印とした例であり、（Ｇ）は足跡を歩行状に羅列し、（Ｈ）は市松模様をライン状に表わし、（Ｉ）はアイビー模様をライン状に表わした例である。
【００１６】
（Ｊ）は境界部を太線ライン状の目印で囲うとともに、このラインを顔の輪郭としてボウル内にクマの顔を、排水口を鼻に見立て、目印要素兼模様として表わし、好みにより上記顔の輪郭ライン外側に耳などを表わして模様化した目印を形成した例である。（Ｋ）は同様にしてこどもの顔とした例であり、（Ｌ）はカメの姿の例、（Ｍ）は図案化した顔の例、（Ｎ）は大口を開けたサメの例、（Ｏ）はゾウの横姿の例、（Ｐ）はイヌの顔の例をそれぞれ表わしてあり、このような模様化をした目印を形成してカウンターの天面部とボウル部とを見分けやすくすることができる。
【図面の簡単な説明】
【００１７】
【図１】本発明に係る一例洗面台用カウンターの平面図である。
【図２】図１の天面とボウル部の境界部分拡大断面図である。
【図３】図１のIII−III線断面図である。
【図４】図１のIV−IV線断面図である。
【図５】本発明に係る別の一例洗面台カウンターの平面図である。
【図６】本発明に係るさらに別例の洗面台用カウンターを示し、（Ａ）〜（Ｈ）はいずれも別例の平面図である。
【図７】図６と同様に別例の洗面台用カウンターを示し、（Ｉ）〜（Ｐ）はいずれも別例の平面図である。
【符号の説明】
【００１８】
１  カウンター、      ２  天面、      ３  ボウル部、      ４  排水口、
５  目印。
【図１】
2008093336.tif 000003
【図２】
2008093336.tif 000004
【図３】
2008093336.tif 000005
【図４】
2008093336.tif 000006
【図５】
2008093336.tif 000007
【図６】
2008093336.tif 000008
【図７】
2008093336.tif 000009